(57)【要約】      （修正有）【課題】通帳全体を保護しながら磁気記録部を確実に防磁することができるとともに、軽量化および低コスト化に優れた通帳の防磁ケースを提供する。【解決手段】防磁ケース３０は、縦方向Ｙ及びそれに直交する横方向Ｘと、それらに直交する厚さ方向とを有し、表面及び裏面と、表面シート３４と、裏面シート３５と、表裏面シート間の空間部３９に配置された防磁層１０と、磁気記録部５７を有する通帳５０Ａを収容可能なポケット４７ａを備えている。防磁層１０は、通帳５０Ａの外形寸法よりも大きな外形寸法を有し、第１スペーサ板１１と、第２スペーサ板１２と、それらの間に介在された外部からの磁界を減衰するための防磁板２０とを有する。防磁板は、中央部に位置する非防磁域１７と、非防磁域を囲むように位置して磁気記録部５７を覆う防磁域１８とを有する。【選択図】図６
0003193832.tif 000002
【実用新案登録請求の範囲】
【請求項１】
縦方向及びそれに直交する横方向と、それらに直交する厚さ方向とを有し、表面及び裏面と、表面シートと、裏面シートと、前記表裏面シート間の空間部に配置された防磁層と、磁気記録部を有する通帳を収容可能なポケットを備えた防磁ケースであって、
前記防磁層は、前記通帳の外形寸法よりも大きな外形寸法を有し、第１スペーサ板と、第２スペーサ板と、それらの間に介在された外部からの磁界を減衰するための防磁板とを有し、
前記防磁板は、中央部に位置する非防磁域と、前記非防磁域を囲むように位置して前記磁気記録部を覆う防磁域とを有することを特徴とする前記防磁ケース。
【請求項２】
前記防磁ケースは、前記縦方向の寸法を２等分する横中心線と、前記縦方向において互いに対向する第１端縁及び第２端縁と、前記横中心線よりも前記第１端縁側に位置する第１収容部と前記横中心線よりも前記第２端縁側に位置する第２収容部とを有し、
前記第１及び第２収容部には、それぞれ、前記表裏面シート間に位置する前記空間部に前記防磁層が配置されており、前記第１収容部の表面と前記第２収容部の表面とが互いに対向するように前記横中心線に沿って延びる折曲部分を介して２つ折りにした状態において、前記磁気記録部が前記第１吸収部の前記防磁層の前記防磁域と前記第２吸収部の前記防磁層の前記防磁域とによって前記厚さ方向において覆われる請求項１に記載の防磁ケース。
【請求項３】
縦方向及びそれに直交する横方向と、それらに直交する厚さ方向とを有し、表面及び裏面と、表面シートと、裏面シートと、前記表裏面シート間の空間部に配置された防磁層と、磁気記録部を有する通帳を収容可能なポケットを備えた防磁ケースであって、
前記防磁層は、前記通帳の外形寸法よりも大きな外形寸法を有し、第１スペーサ板と、第２スペーサ板と、それらの間に介在された外部からの磁界を減衰するための防磁板とを有し、
前記防磁板は、中央部に位置する低防磁域と、前記低防磁域を囲むように位置して前記磁気記録部を覆う高防磁域とを有することを特徴とする前記防磁ケース。
【請求項４】
前記防磁ケースは、前記縦方向の寸法を２等分する横中心線と、前記縦方向において互いに対向する第１端縁及び第２端縁と、前記横中心線よりも前記第１端縁側に位置する第１収容部と前記横中心線よりも前記第２端縁側に位置する第２収容部とを有し、
前記第１及び第２収容部には、それぞれ、前記表裏面シート間に位置する前記空間部に前記防磁層が配置されており、前記第１収容部の表面と前記第２収容部の表面とが互いに対向するように前記横中心線に沿って延びる折曲部分を介して２つ折りにした状態において、前記磁気記録部が前記第１吸収部の前記防磁層の前記高防磁域と前記第２吸収部の前記防磁層の前記高防磁域とによって前記厚さ方向において覆われる請求項３に記載の防磁ケース。
【請求項５】
前記非防磁域又は前記低防磁域には、単数又は複数の開孔が位置する請求項１〜４のいずれかに記載の防磁ケース。
【請求項６】
前記磁気記録部は、前記防磁板の外周縁と前記非防磁域の周縁又は前記低防磁域の周縁とから所与寸法離間して位置する請求項１〜５のいずれかに記載の防磁ケース。
【請求項７】
前記表面シートと前記裏面シートとは、互いに積層された状態において外周が高周波加工によって溶着されて外周シール部が形成されており、前記第１及び第２スペーサ板の外形寸法は前記防磁板の外形寸法よりも大きく、前記防磁板は前記外周シール部から所与寸法離間している請求項１〜６のいずれかに記載の防磁ケース。
【請求項８】
前記第１スペーサ板と前記第２スペーサ板とは１つのパネルから形成されており、前記パネルは、前記防磁層が当接される当接面とその反対側に位置する非当接面と、前記当接面から前記非当接面へ向かって凹となる条溝によって形成された折曲部とを有する請求項１〜７のいずれかに記載の防磁ケース。
【請求項９】
前記ポケットを形成するポケット形成シートと、前記ポケット形成シートと前記表面シートとを接合し、かつ、前記防磁ケースの前記横方向において対向する両側縁から前記第１及び第２端縁へ向かって斜めに延びる一対のポケットシール部とを有し、前記一対のポケットシール部を構成するシール部分は、前記第１端縁又は前記第２端縁に向かうにつれて互いに接近する請求項２または４に記載の防磁ケース。
【考案の詳細な説明】
【技術分野】
【０００１】
本考案は、通帳を収容可能な防磁性を有する防磁ケースに関する。
【背景技術】
【０００２】
従来、通帳の磁気記録部（磁気テープ）に対して防磁性を有する防磁ケースは、公知である。
【０００３】
例えば、特許文献１には、表面シートと裏面シートとの間に画定された空間に防磁層を配置し、表面シート側に位置するポケットに収容された通帳の磁気記録部が防磁層に覆われることによって、磁気記録部に対して外部に配置された永久磁石からの磁界を減衰することができる。
【先行技術文献】
【特許文献】
【０００４】
【特許文献１】特開２００２−１７４２１号公報
【考案の概要】
【考案が解決しようとする課題】
【０００５】
しかし、特許文献１に開示された防磁ケースにおいては、その短片側であって、磁気記録部の存在域にのみ金属板等の高剛性部材を有する防磁層が位置し、通帳全体を覆うものではないから、防磁層が存在しない部分において通帳の一部が折れ曲がったり、通帳の種類によっては、磁気記録部が防磁ケースの長片側に位置し、磁気記録部を防磁層によって覆うことができないおそれがある。一方、通帳全体の大きさを有する防磁層を配置した場合には、コストが高くなるばかりではなく、重量が増して、携帯性が低下するおそれがある。
【０００６】
本考案は、従来の考案の改良であって、通帳全体を保護しながら磁気記録部を確実に防磁することができるとともに、軽量化及び低コスト化に優れた通帳の防磁ケースの提供に関する。
【課題を解決するための手段】
【０００７】
前記課題を解決するため、本考案は、縦方向及びそれに直交する横方向と、それらに直交する厚さ方向とを有し、表面及び裏面と、表面シートと、裏面シートと、表裏面シート間の空間部に配置された防磁層と、磁気記録部を有する通帳を収容可能なポケットを備えた防磁ケースの改良に関する。
【０００８】
本考案の第１の特徴は、前記防磁層は、前記通帳の外形寸法よりも大きな外形寸法を有し、第１スペーサ板と、第２スペーサ板と、それらの間に介在された外部からの磁界を減衰するための防磁板とを有し、前記防磁板は、中央部に位置する非防磁域と、前記非防磁域を囲むように位置して前記磁気記録部を覆う防磁域とを有することにある。
【０００９】
本考案の第２の特徴は、前記防磁層は、前記通帳の外形寸法よりも大きな外形寸法を有し、第１スペーサ板と、第２スペーサ板と、それらの間に介在された外部からの磁界を減衰するための防磁板とを有し、前記防磁板は、中央部に位置する低防磁域と、前記低防磁域を囲むように位置して前記磁気記録部を覆う高防磁域とを有することにある。
【考案の効果】
【００１０】
第１考案に係る防磁ケースの１つ以上の実施態様によれば、磁気記録部を防磁域によって覆うとともに、第１および第２スペーサ板によって、防磁ケースの外部にある永久磁石と、磁気記録部との間の距離を大きくすることができるため、磁気記録部に対する、携帯電話等に使用される永久磁石の磁界を防磁板によって減衰することができる。これにより、磁気記録部のデータが破壊されることを防ぐことができる。加えて、防磁層は、通帳の外形寸法よりも大きな外形寸法を有するため、通帳の保形性に優れる。さらに、防磁板は、中央に位置する非防磁域を有するため、開孔を形成して非防磁域を形成すれば、防磁ケースの軽量化および低コスト化を実現することができる。
【００１１】
第２考案に係る防磁ケースの１つ以上の実施態様によれば、磁気記録部を低防磁域によって覆うとともに、第１および第２スペーサ板によって、防磁ケースの外部にある永久磁石と、磁気記録部との間の距離を大きくすることができるため、磁気記録部に対する、携帯電話等に使用される永久磁石の磁界を防磁板によって減衰することができる。これにより、磁気記録部のデータが破壊されることを防ぐことができる。加えて、防磁層は、通帳の外形寸法よりも大きな外形寸法を有するため、通帳の保形性に優れる。さらに、防磁板は、中央に位置する低防磁域を有するため、低防磁域に開孔を形成したり、低防磁域の厚さ方向の寸法を薄くすることによって低防磁域を形成すれば、防磁ケースの軽量化および低コスト化を実現することができる。
【図面の簡単な説明】
【００１２】
図面は、本考案の特定の実施の形態を示し、考案の不可欠な構成ばかりでなく、選択的及び好ましい実施の形態を含む。
【図１】本考案に係る第１実施形態の防磁ケースの平面図。
【図２】図１のＩＩ−ＩＩ線に沿う模式的断面図。
【図３】防磁層の平面図。
【図４】防磁層の分解斜視図。
【図５】（ａ）第１タイプの通帳を示す模式的斜視図。（ｂ）第２タイプの通帳を示す模式的斜視図。
【図６】防磁ケースに第１タイプの通帳を入れた状態を示す平面図。
【図７】防磁ケースに第１タイプの通帳を入れた状態を示す断面図。
【図８】防磁ケースに第２タイプの通帳を入れた状態を示す平面図。
【図９】第２実施形態に係る防磁ケースが備える防磁層を示す模式的斜視図。
【図１０】第３実施形態に係る防磁ケースが備える防磁層を示す図４と同様の分解斜視図。
【図１１】第４実施形態に係る防磁ケースが備える防磁層を示す図４と同様の分解斜視図。
【図１２】第５実施形態に係る防磁ケースが備える防磁層を示す図４と同様の分解斜視図。
【図１３】第６実施形態の防磁ケースを開いた状態の図１と同様の平面図。
【図１４】第７実施形態に係る防磁ケースが備える防磁層を示す模式的斜視図。
【考案を実施するための形態】
【００１３】
下記の実施形態は、図１〜１４に示す防磁ケースに関し、考案の不可欠な構成ばかりではなく、選択的及び好ましい構成を含む。
【００１４】
＜第１実施形態＞
図１〜４を参照すると、防磁ケース３０は、縦方向Ｙと、縦方向Ｙに直交する横方向Ｘと、縦方向Ｙおよび横方向Ｘにそれぞれ直交する厚さ方向Ｚとを有し、縦方向Ｙにおいて離間対向する第１端縁４１と第２端縁４２及び横方向Ｘにおいて離間対向する第１側縁４３および第２側縁４４と、プラスチック製であって可撓性を有する表面を形成する表面シート３４と、裏面を形成する裏面シート３５とを含む。両シート３４，３５は、互いに重ね合わされた状態で外周縁及び中央部が高周波接合手段等の公知の接合手段によって接合されて外周シール部４５と中央シール部（折曲部分）３８が形成される。中央シール部３８は、所要の幅寸法（縦方向Ｙの寸法）を有し、その表面および裏面は縦方向Ｙにおいて起伏を繰り返す凹凸状であって縦方向Ｙへ折曲が容易である。換言すれば、この中央シール部３８が、縦方向Ｙにおいて、第１収容部３１と、第２収容部３２との間に位置し、横中心線Ｑに沿って延びる折曲部分である。防磁ケース３０は、横方向の寸法を２等分する縦中心線Ｐと、縦方向Ｙの寸法を２等分する横中心線Ｑとをさらに有し、それらに関してほぼ対称に形成される。
【００１５】
防磁ケース３０は、縦方向Ｙにおいて、横中心線Ｑよりも第１端縁４１側に位置する第１収容部３１と、横中心線Ｑよりも第２端縁４２側に位置する第２収容部３２とに区分される。第１および第２収容部３１，３２の縦方向の寸法Ｌ４は、約９０〜１１０ｍｍが好ましく、本実施形態では約１００．５ｍｍであり、横方向Ｘの寸法Ｗ４は、約１５０〜１７０ｍｍが好ましく、本実施形態では約１６１ｍｍである。第１及び第２収容部３１，３２は、中央シール部３８と外周シール部４５とによって囲まれた一対の空間部３９を有し、空間部３９には外部に配置された永久磁石からの磁界を減衰するための防磁層１０が配置される。第１及び第２収容部３１，３２において、表面シート３４の表面側（防磁層１０と対向する面側）には、防磁層１０を横断するようにポケット形成シート４０が配置される。ポケット形成シート４０は、両側縁と一方端縁とが表裏面シート３４，３５とともにシールされており、中央シール部３８に向かって開口した、磁気記録部５７を有する通帳５０Ａを収容可能な第１ポケット４７ａ及び第２ポケット４７ｂがそれぞれ形成される。
【００１６】
＜防磁層＞
図３および図４を参照すると、防磁層１０は、第１スペーサ板１１と第２スペーサ板１２とそれらの間に介在された防磁板２０とを備える。第１及び第２スペーサ板１１，１２は、通帳５０Ａの磁気記録部５７（図５（ａ）参照）と、外部に配置された永久磁石との間隔を拡げるためのものであって、着磁性ではなく、軽量で、かつ、圧縮された状態であっても変形しない材料から形成されることが好ましく、例えば、ポリエチレンテレフタレート樹脂、ポリオレフィン系樹脂、ポリ塩化ビニル樹脂等のフィルム又はシート、段ボール原紙等の厚手の板紙やポリエチレン発泡体（ベルポーレン）等から形成することができる。第１および第２スペーサ板１１，１２にベルポーレンを使用すれば、可撓性を有するとともに、硬質で変形せず、クッション性を有するので好適である。また、第１および第２スペーサ板１１，１２は、電気絶縁性であることがより好ましい。
【００１７】
図３を参照すると、第１および第２スペーサ板１１，１２の縦方向Ｙの寸法Ｌ１は、後述する通帳５０Ａの縦方向Ｙの寸法Ｌ５および磁気記録部５７の縦方向Ｙの寸法Ｌ６よりも大きく（図５（ａ）参照）、かつ、第１および第２スペーサ板１１，１２の横方向Ｘの寸法Ｗ１は、通帳５０Ａの横方向Ｘの寸法Ｗ５および磁気記録部５７の横方向Ｘの寸法Ｗ６よりも大きい（図５（ａ）参照）。第１および第２スペーサ板１１，１２は、縦方向Ｙにおいて互いに対向して横方向Ｘへ延びる第１端縁１３および第２端縁１４をそれぞれ有し、横方向Ｘにおいて互いに対向して縦方向Ｙへ延びる両側縁１５をそれぞれ有している。第１および第２スペーサ板１１，１２の縦方向Ｙの寸法Ｌ１は、例えば、約８０〜１００ｍｍが好ましく、本実施形態においては約９１ｍｍである。第１および第２スペーサ板１１，１２の横方向Ｘの寸法Ｗ１は、例えば、約１３０〜１５０ｍｍが好ましく、本実施形態においては約１４９ｍｍである。第１および第２スペーサ板１１，１２の厚さ方向Ｚの寸法ｔ１は、例えば、約１．５〜２．５ｍｍが好ましく、約１．６〜２．０ｍｍがより好ましい。
【００１８】
防磁板２０は、第１および第２スペーサ板１１，１２よりもひと回り小さい長方形状であって、透磁率の高い材料から形成されており、例えば、鉄、フェライト、ケイ素剛、鋼板をスズメッキしたブリキ、透磁率の大きい鉄ニッケル合金であるパーマロイ等を材料として用いることができる。例えば、防磁板２０として他の材料に比して安価なブリキを使用した場合にはコストを抑えることができ、パーマロイを使用した場合には、他の材料比してより高い防磁性を発揮することができる。また、防磁板２０は、中央に位置する矩形の開孔１６を有する。
【００１９】
防磁板２０の縦方向Ｙの寸法Ｌ３は、通帳５０Ａの縦方向Ｙの寸法Ｌ５および磁気記録部５７の縦方向Ｙの寸法Ｌ６よりも大きく、かつ、防磁板２０の横方向Ｘの寸法Ｗ３は、通帳５０Ａの横方向Ｘの寸法Ｗ５および磁気記録部５７の横方向Ｘの寸法Ｗ６よりも大きい（図５参照）。防磁板２０は、縦方向Ｙにおいて互いに対向して横方向Ｘへ延びる第１端縁２１および第２端縁２２を有し、横方向Ｘにおいて互いに対向して縦方向Ｙへ延びる両側縁２３を有している。第１および第２端縁２１，２２ならびに両側縁２３によって防磁板２０の外周縁が画定される。防磁板２０の縦方向Ｙの寸法Ｌ３は、例えば、約８０〜１００ｍｍが好ましく、本実施形態においては約８８ｍｍである。防磁板２０の横方向Ｘの寸法Ｗ３は、例えば、約１３５〜１５５ｍｍが好ましく、本実施形態においては約１４９ｍｍである。防磁板２０の厚さ方向Ｚの寸法ｔ２は、例えば、約０．１〜０．４ｍｍが好ましく、本実施形態においては約０．２ｍｍである。防磁板２０の厚さ方向Ｚの寸法の大きさに比例して防磁性を向上させることができるが、軽量化と低コスト化を実現するために、防磁板２０の厚さ寸法ｔ２はできるだけ小さいことが好ましい。本実施形態においては、厚さ寸法ｔ２を約０．２ｍｍとして、第１および第２スペーサ板１１，１２の厚さ寸法をそれぞれ約１．６ｍｍとして、防磁層１０の厚さ寸法を約３．４ｍｍとすることによって、例えば、一般的な携帯電話の外部スピーカー付近の磁束密度（約２５ｍＴ〜４５ｍＴ）を減衰することができ、通帳５０Ａの磁気記録部５７のデータが破壊されるのを防止することが可能である。
【００２０】
防磁層１０は、中央に位置する非防磁域１７と非防磁域１７を囲むように位置する防磁域１８とを有する。非防磁域１７には防磁板２０の開孔１６が位置し、防磁域１８には防磁板２０が位置している。防磁域１８には防磁板２０が位置することによって外部に配置された永久磁石からの磁界を減衰する効果を有する一方、非防磁域１７においては、防磁板２０が存在しておらず、第１および第２スペーサ板１１，１２のみが位置することから、防磁域１８に比して防磁性が低くなっている。防磁板２０の開孔１６の縦方向Ｙの寸法Ｌ２は、例えば約２０〜３５ｍｍが好ましく、本実施形態においては約２８ｍｍであって、縦方向Ｙの寸法Ｗ２は、例えば、約６０〜７０ｍｍが好ましく、本実施形態においては約６５ｍｍである。防磁板２０の縦方向Ｙの寸法Ｌ３と横方向Ｘの寸法Ｗ３との積に対する開孔１６の面積の割合は、約１３〜１７％が好ましい。第１および第２スペーサ板１１，１２の縦方向Ｙの寸法Ｌ１は、防磁板２０の縦方向Ｙの寸法Ｌ３よりも大きく、第１および第２スペーサ板１１，１２の横方向Ｘの寸法Ｗ１は、防磁板２０の横方向Ｘの寸法Ｗ３よりも大きくなっている。
【００２１】
厚さ方向Ｚにおいて積層されて互いに当接される第１スペーサ板１１と防磁板２０、および防磁板２０と第２スペーサ板１２は、例えば、互いに対向する面に配置された両面テープ等の公知の接合手段によって接合される。図３および図４を参照すると、厚さ方向Ｚにおいて、それらを接合して積層した状態において、既述のとおり、第１および第２スペーサ板１１，１２は防磁板２０よりもひと回り大きい外形寸法を有し、第１および第２スペーサ板１１，１２の第１端縁１３および第２端縁１４が、防磁板２０の第１端縁２１および第２端縁２２よりも縦方向Ｙの外側に位置し、第１および第２スペーサ板１１，１２の両側縁１５が、防磁板２０の両側縁２３よりも横方向Ｘの外側に位置する。
【００２２】
図５（ａ）を参照すると、通帳５０Ａ（第１タイプ）は、長方形状であって、表紙５１と、裏紙５２と、表裏紙５１、５２に中綴じされた複数枚の用紙５３とを有する。通帳５０Ａは、さらに、縦方向Ｙにおいて互いに対向して横方向Ｘへ延びる第１端縁５４および第２端縁５５を有し、横方向Ｘにおいて互いに対向して縦方向Ｙへ延びる両側縁５６ａ，５６ｂを有する。裏紙５２の外面の一方側縁５６ｂ側には、それに沿って延びる銀行預金の口座番号等のデータが記録された磁気記録部５７が位置する。通帳５０Ａの縦方向Ｙの寸法Ｌ５は、例えば、約７７〜８８ｍｍであって、本実施形態においては約８７．５ｍｍである。通帳５０Ａの横方向Ｘの寸法Ｗ５は、例えば、約１３０〜１５０ｍｍであって、本実施形態においては約１３９ｍｍである。
【００２３】
磁気記録部５７は、長方形状であって、縦方向Ｙにおいて互いに対向して横方向Ｘへ延びる第１端縁５７ａおよび第２端縁５７ｂを有し、横方向Ｘにおいて互いに対向して縦方向Ｙへ延びる両側縁５７ｃを有する。磁気記録部５７は、例えば、縦方向Ｙの寸法Ｌ６が約８０ｍｍであって、横方向Ｘの寸法Ｗ６が約１６ｍｍである。磁気記録部５７の第１端縁５７ａと通帳５０Ａの第１端縁５４との縦方向Ｙにおける離間寸法Ｌ７は、本実施形態においては約４ｍｍであり、磁気記録部５７の第２端縁５７ｂと第２端縁５５との縦方向Ｙにおける寸法Ｌ８は、本実施形態においては約３．５ｍｍである。
【００２４】
図５（ｂ）を参照すると、図５（ａ）に示した通帳５０Ａと外形寸法は同一であるが、磁気記録部５９の位置のみが異なり、通帳５０Ｂ（第２タイプ）においては、磁気記録部５９が、裏紙５２の第１端縁５５側において横方向Ｘへ延びている。通帳５０Ｂにおいては、磁気記録部５９の縦方向Ｙの寸法Ｌ９（長さ寸法）が約６ｍｍ、横方向Ｘの寸法Ｗ９（幅寸法）が約１３５ｍｍである。
【００２５】
図６および図７を参照すると、例えば、磁気記録部５７が現れるように第１収容部３１の第１ポケット４７ａに通帳５０Ａを収容し、かつ、第１収容部３１と第２収容部３２とを互いに表面どうしが対向するように中央シール部３８で防磁ケース３０を折り曲げた状態において、磁気記録部５７が、第１収容部３１の防磁域１８と第２収容部３２の防磁域１８とに覆われるように位置する。このように、磁気記録部５７が厚さ方向Ｚにおいて防磁域１８の間に介在されていることによって、例えば、防磁ケース３０の近くに携帯電話のスピーカーの永久磁石、またはハンドバックの口金の永久磁石が配置されたとしても、第１および第２スペーサ板１１，１２によって、永久磁石と磁気記録部５７との離間距離を一定に保持することができるとともに、防磁板２０の防磁域１８によって永久磁石からの磁界を減衰することができるため、磁気記録部５７のデータが破壊されることを防止することができる。なお、縦中心線Ｐおよび横中心線Ｑに対する磁気記録部５７の位置が、上下（縦方向Ｙ）および左右（横方向Ｘ）において異なるように、第１収容部３１の第１ポケット４７ａに通帳５０Ａを収容しても同様の作用・効果を奏する。また、通帳５０Ａを、第２収容部３２の第２ポケット４７ｂに収容しても、同様の作用・効果を奏する。
【００２６】
また、防磁板２０の外形寸法は、通帳５０Ａの外形寸法よりも大きく、防磁板２０の第１および第２端縁２１，２２が、縦方向Ｙにおいて、通帳５０Ａの第１および第２端縁５４，５５の外側に位置するとともに、防磁板２０の両側縁２３が、横方向Ｘにおいて互いに対向する通帳５０Ａの両側縁５６ａ，５６ｂの外側に位置しているため、防磁ケース３０にそれを変形させようとする外部の力が加えられたとしても、通帳５０Ａが変形するのを抑制することができる。
【００２７】
このように、磁気記録部５７を厚さ方向Ｚにおいて防磁域１８で覆って防磁することができる一方、防磁板２０の中央部には開孔１６が位置する非防磁域１７が画定されることによって、防磁板２０に開孔が形成されない場合に比して、防磁層１０全体を軽量化することができる。例えば、開孔１６が防磁板２０の表面積の約１３．８％の大きさである場合には、第１及び第２収容部３１，３２に位置する防磁層１０を合せて約５ｇの軽量化を実現することができる。
【００２８】
図８において、第２通帳５０Ｂを仮想線で示す。通帳５０Ｂを通帳５０Ａと同様に第１収容部３１の空間部３９に収容した状態において、中央シール部３８側において横方向Ｘへ延びる磁気記録部５９は、第１収容部３１の防磁層１０の防磁域１８と第２収容部３２の防磁層１０の防磁域１８とに覆われるように位置する。この通帳５０Ｂのように磁気記録部５９が通帳５０Ｂの両側縁５６ａ，５６ｂではなく、第１および第２端縁５４，５５側に位置する場合であっても、磁気記録部５９は防磁域１８に配置され、非防磁域１７に位置することはない。
【００２９】
本実施形態において、通帳５０Ａの磁気記録部５７は、防磁板２０の両側縁２３の一方の側縁２３と開孔１６の側縁との間に位置しており、それらの側縁から横方向Ｘにおいてそれぞれ約４ｍｍ以上離間しており、さらに、防磁板２０の第１および第２端縁２１，２２と縦方向Ｙにおいて約４ｍｍ以上離間している。また、通帳５０Ｂの磁気記録部５９は、防磁板２０の第２端縁２２と開孔１６の端縁との間に位置しており、それら端縁から縦方向Ｙにおいてそれぞれ約４ｍｍ以上離間しており、さらに、防磁板２０の両側縁２３から横方向Ｘにおいて約４ｍｍ以上離間している。これらのように、防磁板２０が中央部に開孔１６を有するフレーム状であって、通帳５０Ａ，５０Ｂの磁気記録部５７，５９が防磁板２０の外周シール部４５と開孔１６の開口縁とからそれぞれ約４ｍｍ以上離間するように配置されていることによって、外部に配置された永久磁石に対する所要の防磁効果を発揮することができ、磁気記録部５７，５９の読み取りが困難になるおそれはない。一方、それらの離間寸法が約４ｍｍ以下の場合には、外部に配置された永久磁石からの磁界を十分に減衰することができず、磁気記録部５７，５９の読み取りが困難になるおそれがある。
【００３０】
なお、銀行等に使用される一般の通帳には、通帳５０Ａのように磁気記録部５７が両側縁５６ａ，５６ｂのいずれか一方に配置されたタイプと、通帳５０Ｂのように磁気記録部５７が両端縁５４，５５のいずれか一方に配置されたタイプとがあるが、出願人が知見したところによれば、いずれのタイプであっても、磁気記録部の幅寸法は約６〜１６ｍｍ以下である。したがって、いずれのタイプの通帳であっても磁気記録部５７，５９を厚さ方向Ｚにおいて覆い、かつ、それらの外周縁から外周シール部４５と開孔１６の開口縁とを約４ｍｍ以上離間させるために、開孔１６を囲む防磁域１８の幅寸法は、約２４ｍｍ以上であることが好ましい。このように防磁域１８を配置すれば、通帳５０Ａを第１および第２ポケット４７ａ，４７ｂに入れる態様がいかなるものであっても、磁気記録部５７を防磁域１８によって覆うことができる。
【００３１】
また、防磁層１０を形成する第１および第２スペーサ板１１，１２の外形寸法が防磁板２０のそれよりも大きくなっている。したがって、高周波加工によって表裏面シート３４，３５の外周縁を互いに溶着するとき、空間部３９内に配置された防磁層１０のうちの電気絶縁性の第１および第２スペーサ板１１，１２が電極に近接し、防磁板２０は離間するので、電極と防磁板２０との間で放電（スパーク）が発生するのを防止することができる。
【００３２】
＜第２実施形態＞
図９を参照すると、本実施形態の防磁層１０においては、第１および第２スペーサ板１１，１２が別体ではなく、電気絶縁性の材料から形成された１つのパネル６０から形成される。パネル６０は、折り曲げたときに、互い対向し、防磁板２０が当接される当接面６３と、その当接面６３の反対側に位置する非当接面６４とを有し、パネル６０の縦方向Ｙの中央には、横方向Ｘに延びる折曲線（折曲部）６１が位置する。折曲線６１は、例えば、当接面６３から非当接面６４へ向けて凹む条溝６２や、所与寸法の間隔をおいて配置された複数のスリット等から形成される。本実施形態の防磁層１０では、折曲線６１に沿ってパネル６０を２つ折りにして第１および第２スペーサ板１１，１２を形成し、それらの間に防磁板２０が介在される。このように、第１および第２スペーサ板１１，１２を一体のパネル６０で形成することによって、それらを別体に形成する場合に比して積層工程や接合工程の一部を簡略化できるとともに、第１および第２スペーサ板１１，１２のいずれか一方の第１および第２スペーサ板１１，１２と防磁板２０との縦横の位置を接合手段によって決定することによって、他方の第１および第２スペーサ板１１，１２と防磁板２０との位置が決定されるため、より簡易に製造することができる。
【００３３】
＜第３実施形態＞
図１０を参照すると、本実施形態における防磁層１０の非防磁域１７には、厚さ方向Ｚにおいて防磁板２０を貫通する複数の開孔６９が位置する。本実施形態の防磁ケース３０によれば、非防磁域１７においても、防磁板２０の一部が残っているため、全体が開孔１６である場合に比して防磁性に優れて高い剛性を有する。
【００３４】
＜第４実施形態＞
図１１を参照すると、本実施形態の防磁層１０の防磁板２０の非防磁域１７には、厚さ方向Ｚにおいて防磁板２０を貫通し、縦方向Ｙに延びるスリット状の開孔７０を複数形成してある。本実施形態の防磁ケース３０によれば、非防磁域１７においても、全体が開孔１６である場合に比して防磁性に優れて高い剛性を有する。また、防磁ケース３０に横方向Ｘへ延びる折り目が形成されるような外力が加えられたときであっても、非防磁域１７において複数の開孔７０間に位置する部分からなるリブ７１によって、通帳５０Ａ（５０Ｂ）が折り曲げられるのを抑制することができる。なお、図示省略するが、スリット状の開孔７０は、横方向に延びるように形成してもよい。このようにスリット状の開孔を形成すれば、縦方向Ｙへ延びる折り目が形成されるような外力が加えられたときであっても、スリット状の開孔の間に位置するリブによって、通帳５０Ａ（５０Ｂ）が折り曲げられるのを抑制することができる。
【００３５】
＜第５実施形態＞
図１２を参照すると、本実施形態の防磁層１０の第１スペーサ板１１１および第２スペーサ板１１２には、粉状の酸化鉄を、ポリエチレン等の熱可塑性合成樹脂に混入して形成したシート材を用い、または、粉状の酸化鉄を混入して形成したボール紙を用いることによって形成してあり、第１および第２スペーサ板１１１，１１２は、防磁ケース３０の表面シート３４と裏面シート３５との空間部３９の寸法を保持するものであるとともに、粉状の酸化鉄によって、永久磁石の磁界を減衰することができる。本実施形態の防磁層１０によれば、第１および第２スペーサ板１１１，１１２においても、永久磁石の磁界を減衰することができるため、磁気記録部５７，５９のデータが破壊されることを確実に防止することができる。
【００３６】
＜第６実施形態＞
図１３を参照すると、本実施形態の防磁ケース１３０において、防磁ケース１３０の両側縁４３，４４から第１端縁４１および第２端縁４２へ向かって斜めに延びるシール部（ポケットシール部）９０が形成される。横方向Ｘにおいて互いに対向するシール部９０は、第１及び第２端縁４１，４２へ向かうにつれて互いに接近するように斜めに延びていることから、シール部９０間の横方向Ｘにおける離間寸法は第１及び第２端縁４１，４２に向かって次第に小さくなっている。したがって、第１および第２ポケット４７ａ，４７ｂの開口が比較的に大きいため、通帳５０Ａ，５０Ｂの挿入操作が容易であるとともに、通帳５０Ａ，５０Ｂを第１および第２ポケット４７ａ，４７ｂに挿入した後においては、縦方向Ｙにおけるシール部９０の端部９０ａによって、通帳５０Ａ，５０ｂがポケット４７ａ，４７ｂ内で横方向Ｘへ移動することを規制することができる。このように通帳５０Ａ，５０Ｂを確実に適正な位置に配置することによって、磁気記録部５７，５９を確実に防磁域１８で覆うことができる。
【００３７】
＜第７実施形態＞
図１４を参照すると、本実施形態の防磁層１１０の防磁板１２０は、第１防磁板１２１と第２防磁板１２２とを有している。第１および第２防磁板１２１，１２２の外形寸法および材料は、防磁板２０の外形寸法および材料と同一である。第１防磁板１２１は開孔を有しておらず板状である。第２防磁板１２２は、中央に位置する矩形の開孔１１６を有する。第１防磁板１２１と第２防磁板１２２とは、第１防磁板１２１の外周縁と第２防磁板１２２の外周縁とが同一となるように、例えば、互いに対向する面に配置された両面テープ等の公知の接合手段によって接合され、防磁板１２０には、中央に位置する低防磁域１１７と、低防磁域１１７を囲むように位置する高防磁域１１８とが画定される。低防磁域１１７には、第２防磁板１２２の開孔１１６と第１防磁板１２１の中央部が位置して厚さ方向Ｚの寸法を小さくする一方、高防磁域１１８には、第１および第２防磁板１２１，１２２が位置して厚さ方向Ｚの寸法を大きくしている。高防磁域１１８には、第１および第２防磁板１２１，１２２が位置することによって、外部に配置された永久磁石からの磁界を減衰する効果を有する一方、低防磁域１１７においては、第１防磁板１２１のみが位置するため、高防磁域１１８に比して防磁性が低くなっている。本実施形態の防磁ケースによれば、低防磁域１１７においても、第１防磁板１２１が存在するため、所用の防磁性を有するとともに、防磁ケースの剛性を高くすることができる。しかも、第２防磁板１２２は、開孔１１６を有しているため、防磁ケースの軽量化及び低コスト化を実現することができる。
【００３８】
なお、本実施形態において、第１防磁板１２１を裏面シート３５に近接するように配置してもよいし、第２防磁板１２２を裏面シート３５に近接するように配置してもよい。ただし、第１防磁板１２１を裏面シート３５に近接するように配置すれば、防磁ケースの第１および第２収容部３１，３２の裏面側の中央部が凹むのを防止することができるため、見栄えが向上する。
【００３９】
以上に記載した本考案に関する開示は、少なくとも下記事項に整理することができる。
縦方向及びそれに直交する横方向と、それらに直交する厚さ方向とを有し、表面及び裏面と、表面シートと、裏面シートと、前記表裏面シート間の空間部に配置された防磁層と、磁気記録部を有する通帳を収容可能なポケットを備えた防磁ケースであって、前記防磁層は、前記通帳の外形寸法よりも大きな外形寸法を有し、第１スペーサ板と、第２スペーサ板と、それらの間に介在された外部からの磁界を減衰するための防磁板とを有し、前記防磁板は、中央部に位置する非防磁域と、前記非防磁域を囲むように位置して前記磁気記録部を覆う防磁域とを有することを特徴とする前記防磁ケース。
縦方向及びそれに直交する横方向と、それらに直交する厚さ方向とを有し、表面及び裏面と、表面シートと、裏面シートと、前記表裏面シート間の空間部に配置された防磁層と、磁気記録部を有する通帳を収容可能なポケットを備えた防磁ケースであって、前記防磁層は、前記通帳の外形寸法よりも大きな外形寸法を有し、第１スペーサ板と、第２スペーサ板と、それらの間に介在された外部からの磁界を減衰するための防磁板とを有し、前記防磁板は、中央部に位置する低防磁域と、前記低防磁域を囲むように位置して前記磁気記録部を覆う高防磁域とを有することを特徴とする前記防磁ケース。
【００４０】
上記段落〔００３９〕に開示した本考案は、少なくとも下記の実施の形態を含むことができる。該実施の形態は、分離して又は互いに組み合わせて採択することができる。特に、第７実施形態に係る考案と、他の実施形態に係る考案とを組み合わせる場合、第１防磁板１２１に、開孔６９，７０を形成することによって、さらなる軽量化及び低コスト化を実現することができる。
（１）前記防磁ケースは、前記縦方向の寸法を２等分する横中心線と、前記縦方向において互いに対向する第１及び第２端縁と、前記横中心線の前記第１端縁側に位置する第１収容部と前記横中心線の前記第２端縁側に位置する第２収容部とを有し、前記第１及び第２収容部には、それぞれ、前記表裏面シート間に位置する前記空間部に前記防磁層が配置されており、前記第１収容部の表面と前記第２収容部の表面とが互いに対向するように前記横中心線に沿って延びる折曲部分を介して２つ折りにした状態において、前記磁気記録部が前記第１吸収部の前記防磁層の前記防磁域と前記第２吸収部の前記防磁層の前記防磁域とによって前記厚さ方向において覆われる。
（２）前記防磁ケースは、前記縦方向の寸法を２等分する横中心線と、前記縦方向において互いに対向する第１端縁及び第２端縁と、前記横中心線よりも前記第１端縁側に位置する第１収容部と前記横中心線よりも前記第２端縁側に位置する第２収容部とを有し、前記第１及び第２収容部には、それぞれ、前記表裏面シート間に位置する前記空間部に前記防磁層が配置されており、前記第１収容部の表面と前記第２収容部の表面とが互いに対向するように前記横中心線に沿って延びる折曲部分を介して２つ折りにした状態において、前記磁気記録部が前記第１吸収部の前記防磁層の前記高防磁域と前記第２吸収部の前記防磁層の前記高防磁域とによって前記厚さ方向において覆われる。
（３）前記非防磁域又は前記低防磁域には、単数又は複数の開孔が位置する。
（４）前記磁気記録部は、前記防磁板の外周縁と前記非防磁域の周縁又は前記低防磁域の周縁とから所与寸法離間して位置する。
（５）前記表面シートと前記裏面シートとは、互いに積層された状態において外周が高周波加工によって溶着されて外周シール部が形成されており、前記第１及び第２スペーサ板の外形寸法は前記防磁板の外形寸法よりも大きく、前記防磁板は前記外周シール部から所与寸法離間している。
（６）前記第１スペーサ板と前記第２スペーサ板とは１つのパネルから形成されており、前記パネルは、前記防磁層が当接される当接面とその反対側に位置する非当接面と、前記当接面から前記非当接面へ向かって凹となる条溝によって形成された折曲部とを有する。
（７）前記ポケットを形成するポケット形成シートと、前記ポケット形成シートと前記表面シートとを接合し、かつ、前記防磁ケースの前記横方向において対向する両側縁から前記第１及び第２端縁へ向かって斜めに延びる一対のポケットシール部とを有し、前記一対のポケットシール部を構成するシール部分は、前記第１端縁又は前記第２端縁に向かうにつれて互いに接近する。
【００４１】
防磁ケースを構成する部材には、特に明記されていない限りにおいて、本明細書に記載されている材料のほかに、この種の分野において通常用いられている公知の材料を制限なく用いることができる。また、本明細書および請求の範囲において使用されている「第１」および「第２」等の用語は、同様の要素、位置等を単に区別するために用いてある。
【符号の説明】
【００４２】
１０      防磁層
１１      第１スペーサ板
１２      第２スペーサ板
１６      開孔
１７      非防磁域
１８      防磁域
２０      防磁板
３０      防磁ケース
３１      第１収容部
３２      第２収容部
３４      表面シート
３５      裏面シート
３８      中央シール部（折曲部分）
３９      空間部
４０      ポケット形成シート
４１      第１端縁
４２      第２端縁
４３      第１側縁
４４      第２側縁
４５      外周シール部
４７ａ    第１ポケット
４７ｂ    第２ポケット
５０Ａ    通帳（第１タイプ）
５０Ｂ    通帳（第２タイプ）
５７      磁気記録部
５９      磁気記録部
６０      パネル
６１      折曲線（折曲部）
６２      条溝
６９      開孔
７０      開孔
９０      シール部（ポケットシール部）
１１０    防磁層
１１１    第１スペーサ板
１１２    第２スペーサ板
１１６    開孔
１１７    低防磁域
１１８    高防磁域
１２０    防磁板
１２１    第１防磁板
１２２    第２防磁板
１３０    防磁ケース
Ｐ        横中心線
Ｑ        縦中心線
Ｘ        横方向
Ｙ        縦方向
Ｚ        厚さ方向
【図１】
0003193832.tif 000003
【図２】
0003193832.tif 000004
【図３】
0003193832.tif 000005
【図４】
0003193832.tif 000006
【図５】
0003193832.tif 000007
【図６】
0003193832.tif 000008
【図７】
0003193832.tif 000009
【図８】
0003193832.tif 000010
【図９】
0003193832.tif 000011
【図１０】
0003193832.tif 000012
【図１１】
0003193832.tif 000013
【図１２】
0003193832.tif 000014
【図１３】
0003193832.tif 000015
【図１４】
0003193832.tif 000016